(57)【要約】【課題】  乗車券やカード、あるいは紙葉類を確実に検知できるようにする。【解決手段】  投入口に投入された媒体を搬送させる搬送路と、その搬送路の途中で、かつ、その搬送路を中間にした一方側に設けられ、その搬送路に向けて光線を照射する発光器と、前記搬送路を中間にした他方側に設けられ、前記発光器から照射された光線をその搬送路側に向けて反射させる反射器と、前記搬送路を中間にした一方側に設けられ、前記反射器で反射されてきた光線を受光する、前記発光器と所定の間隔を保って設けられた受光器と、前記発光器から照射された光線が前記受光器で受光されたときに前記搬送路上に前記媒体が位置していないと判定し、その発光器から照射された光線がその受光器で受光されないときにその搬送路上にその媒体が位置していると判定する判定手段とからなる。【選択図】      図２
2005196457.tif 000002
【特許請求の範囲】
【請求項１】
投入口に投入された媒体を搬送させる搬送路と、
前記搬送路の途中で、かつ、その搬送路を中間にした一方側に設けられ、その搬送路に向けて光線を照射する発光器と、
前記搬送路を中間にした他方側に設けられ、前記発光器から照射された光線をその搬送路側に向けて反射させる反射器と、
前記搬送路を中間にした一方側に設けられ、前記反射器で反射されてきた光線を受光する、前記発光器と所定の間隔を保って設けられた受光器と、
前記発光器から照射された光線が前記受光器で受光されたときに前記搬送路上に前記媒体が位置していないと判定し、その発光器から照射された光線がその受光器で受光されないときにその搬送路上にその媒体が位置していると判定する判定手段と、
からなることを特徴とする媒体検知装置。
【請求項２】
請求項１に記載の媒体検知装置において、発光器及び受光器は、一個の筐体内に設けられることを特徴とする媒体検知装置。
【請求項３】
駅務機器の本体の投入口に投入された媒体を搬送させる搬送路と、
前記搬送路の途中で、かつ、その搬送路を中間にした一方側に設けられ、その搬送路に向けて光線を照射する発光器と、
前記搬送路を中間にした他方側に設けられ、前記発光器から照射された光線をその搬送路側に向けて反射させる反射器と、
前記搬送路を中間にした一方側に設けられ、前記反射器で反射されてきた光線を受光する、前記発光器と所定の間隔を保って設けられた受光器と、
前記発光器から照射された光線が前記受光器で受光されたときに前記搬送路上に前記媒体が位置していないと判定し、その発光器から照射された光線がその受光器で受光されないときにその搬送路上にその媒体が位置していると判定する判定手段と、
を有することを特徴とする駅務機器。
【請求項４】
請求項３に記載の駅務機器において、発光器及び受光器は、一個の筐体内に設けられることを特徴とする駅務機器。
【請求項５】
請求項３又は４に記載の駅務機器において、媒体は、乗車券、カード又は紙葉類であることを特徴とする駅務機器。
【発明の詳細な説明】
【技術分野】
【０００１】
本発明は駅で用いられる乗車券やストアードフェアカード等のカード、あるいは紙葉類などの媒体を正確に検知することのできる媒体検知装置及びその媒体検知装置を組込んだ駅務機器に関する。
【背景技術】
【０００２】
従来、駅務機器の中の自動改札機においては、その自動改札機の本体の投入口から投入された普通乗車券やストアードフェアカード（ＳＦカード）が取出口、又は集札箱まで搬送される間、ホトセンサからなる媒体検知装置により検出されて、例えばジャム検知等の各種検出が行われている（特許文献１参照）。また、自動券売機や自動精算機等の出札用の駅務機器には、普通乗車券やＳＦカード、あるいは千円札や１万円札等の形態（大きさ）の異なる媒体が投入されるが、媒体の種類を投入口近くに設けられているホトセンサからなる媒体検知装置の検出出力を用いて行われている（特許文献２参照）。
【特許文献１】特開平１１−２５９６９８号公報
【特許文献２】特開２００２−１９００３７号公報
【発明の開示】
【発明が解決しようとする課題】
【０００３】
しかしながら、上記従来のホトセンサからなる媒体検知装置は、発光素子から照射された光線が乗車券やＳＦカード、あるいは紙幣などの紙葉類によりその光線が遮蔽されることにより、受光素子がその光線を受光できなくなったことにより検知する機構となっているので、媒体に孔が開いていたり、あるいは光線の一部がその媒体を通過してしまうようなときは、誤検知を生じ、したがって、このような媒体検知装置が組込まれている駅務機器は、媒体検知装置の誤検知により正常な動作が行えなくなるおそれがあった。
【０００４】
図４〜図６を用いてさらに説明すると、図４は本発明に係る媒体がカードＣ1 の例であり、このカードＣ1 の使用量に対応させて、つまり、残額に応じてその残額の目安となるパンチ孔イ，イ…が自動券売機や自動改札機等の駅務機器により開けられている。また、同図（ｂ）は、本発明に係る媒体がエドモンソン券タイプの乗車券の場合であって、この乗車券Ｃ2 は、入場時に自動改札機の本体の投入口に投入されると、乗車券Ｃ2 が一度使用されたことを示す入場済みのパンチ孔ロがあけられている。さらに同図（ｃ）は、本発明に係る媒体が千円札等からなる紙葉類Ｃ2 であって、このような紙葉類Ｃ2 には、数字、記号及び所定の図柄が印刷されていて、印刷の有無又は印刷の内容により光線の透過率が異なる性質を有している。
【０００５】
ところで、図５に示されるように、ローラ群や一対の無端ベルトを対設して構成された搬送Ｌで搬送されるカードＣ1 や乗車券Ｃ2 の位置を検知するときに、または印字処理等の所定の処理のために停止している媒体を検知するときに、媒体検知装置を構成する発光素子１０からの光線がパンチ孔イ，ロを通過して受光素子１１で受光されると、乗車券Ｃ1 のジャム位置を検出することができなかったり、あるいはカードＣ2 の位置を検出することができなくなってしまう。このような問題点を解決するために、媒体にあけられるパンチ孔の位置を回避してセンサ取付を行わなければならず、また、搬送路の位置を回避してセンサの設置位置を決めなければならないという面倒があった。
【０００６】
また、図６に示されるように、紙葉類Ｃ2 に印刷されている模様等が一様でないために、発光素子１０からの光線がその紙葉類の光線の透過率の大きい位置に照射されたときは、漏れた光線が受光素子１１に受光されてしまい、紙葉類Ｃ3 が存在するにもかかわらず、紙葉類なしと誤検出するおそれがあった。
【０００７】
そこで、本発明は、上記欠点を解決するためになされたものだって、その目的は、パンチ孔や紙葉類の印刷状態による誤検知を確実に防止することのできる媒体検知装置を提供するとともに、その媒体検知装置を組込んだ駅務機器を提供することにある。
【課題を解決するための手段】
【０００８】
本発明に係る媒体検知装置は、上記目的を達成するために、請求項１に記載の発明は、投入口に投入された媒体を搬送させる搬送路と、その搬送路の途中で、かつ、その搬送路を中間にした一方側に設けられ、その搬送路に向けて光線を照射する発光器と、前記搬送路を中間にした他方側に設けられ、前記発光器から照射された光線をその搬送路側に向けて反射させる反射器と、前記搬送路を中間にした一方側に設けられ、前記反射器で反射されてきた光線を受光する、前記発光器と所定の間隔を保って設けられた受光器と、その発光器から照射された光線が前記受光器で受光されたときに前記搬送路上に前記媒体が位置していないと判定し、その発光器から照射された光線がその受光器で受光されないときにその搬送路上にその媒体が位置していると判定する判定手段と、からなることを特徴としている。
本発明の請求項２に記載の媒体検知装置は、発光器及び受光器は、一個の筐体内に設けられることを特徴としている。
本発明に係る媒体検知装置を組込んだ駅務機器は、上記目的を達成するために、請求項３に記載の発明は、駅務機器の本体の投入口に投入された媒体を搬送させる搬送路と、その搬送路の途中で、かつ、その搬送路を中間にした一方側に設けられ、その搬送路に向けて光線を照射する発光器と、前記搬送路を中間にした他方側に設けられ、前記発光器から照射された光線をその搬送路側に向けて反射させる反射器と、前記搬送路を中間にした一方側に設けられ、前記反射器で反射されてきた光線を受光する、前記発光器と所定の間隔を保って設けられた受光器と、前記発光器から照射された光線が前記受光器で受光されたときに前記搬送路上に前記媒体が位置していないと判定し、その発光器から照射された光線がその受光器で受光されないときにその搬送路上にその媒体が位置していると判定する判定手段と、を有することを特徴としている。
本発明の請求項４に係る媒体検知装置を組込んだ駅務機器は、発光器及び受光器は、一個の筐体内に設けられることを特徴としている。
本発明の請求項５に係る媒体検知装置を組込んだ駅務機器は、媒体は、乗車券、カード又は紙葉類であることを特徴としている。
【発明の効果】
【０００９】
本発明の請求項１に記載の媒体検知装置は、投入口に投入された媒体を搬送させる搬送路と、その搬送路の途中で、かつ、その搬送路を中間にした一方側に設けられ、その搬送路に向けて光線を照射する発光器と、前記搬送路を中間にした他方側に設けられ、前記発光器から照射された光線をその搬送路側に向けて反射させる反射器と、前記搬送路を中間にした一方側に設けられ、前記反射器で反射されてきた光線を受光する、前記発光器と所定の間隔を保って設けられた受光器と、その発光器から照射された光線が前記受光器で受光されたときに前記搬送路上に前記媒体が位置していないと判定し、その発光器から照射された光線がその受光器で受光されないときにその搬送路上にその媒体が位置していると判定する判定手段とからなるので、搬送路上の媒体を確実に検知することができる。
本発明の請求項２に記載の媒体検知装置は、発光器及び受光器は、一個の筐体内に設け他ので、容易に実装することができる。
本発明の請求項３に記載の媒体検知装置を組込んだ駅務機器は、駅務機器の本体の投入口に投入された媒体を搬送させる搬送路と、その搬送路の途中で、かつ、その搬送路を中間にした一方側に設けられ、その搬送路に向けて光線を照射する発光器と、前記搬送路を中間にした他方側に設けられ、前記発光器から照射された光線をその搬送路側に向けて反射させる反射器と、前記搬送路を中間にした一方側に設けられ、前記反射器で反射されてきた光線を受光する、前記発光器と所定の間隔を保って設けられた受光器と、前記発光器から照射された光線が前記受光器で受光されたときに前記搬送路上に前記媒体が位置していないと判定し、その発光器から照射された光線がその受光器で受光されないときにその搬送路上にその媒体が位置していると判定する判定手段とを有するので、搬送路上の媒体を確実に検知することができる。
本発明の請求項４に記載の媒体検知装置を組込んだ駅務機器は、発光器及び受光器は、一個の筐体内に設けたので、容易に実装することができる。
本発明の請求項５に記載の媒体検知装置を組込んだ駅務機器は、媒体は、乗車券、カード又は紙葉類であるので、自動券売機や自動改札機等の駅務機器において乗車券等の媒体を確実に検知することができる。
【発明を実施するための最良の形態】
【００１０】
以下、本発明を実施するための最良の形態を図面に基づいて説明する。図１（ａ）は、図示しない自動改札機の本体（以下、「改札機本体」という。）の投入口から投入されたカードＣ1 が図示しない搬送路で搬送されている途中の平面図であり、このカードＣ1 は、偏平な基板Ｂに一辺が当接されて搬送姿勢が一定となるように姿勢制御が行われるように構成されている。なお、駅務機器が自動券売機や自動精算機のように、投入口に投入される媒体が利用者によって挿入される媒体の移動も本発明の搬送路の中に含められている。また、この図示されるカードＣ1 にも、上記図４（ａ）に示されるカードＣ1 と同様に使用量（残額）の目安となるパンチ孔イ，イ…があけられている。
【００１１】
図１（ｂ）は、同図（ａ）のＡ−Ａ線断面である。なお、この図１（ｂ）に示される発光器１及び受光器２を内蔵した筐体Ｈと反射器３は，図１（ａ）では省略されている。発光器１及び受光器２は、カードＣ1 を中間にして、つまり図示しない搬送路を中間にした一方側（図示の例では、搬送路の上方側）に設けられ、周知の発光素子及び受光素子からそれぞれ構成されていて、改札機本体のフレームＦに取付けられる筐体Ｈ内に設けられている。これら発光器１及び受光器２は、カードＣ1 の搬送方向と直交する方向に沿って所定の間隔を保って設けられている。
【００１２】
反射器３は、図示しない搬送路の他方側（図示の例ではカードＣ1 の下側）に設けられ「く」字状の反射面を有する反射プリズムから構成されていて、改札機本体のフレームＦに取り付けられている。すなわち、この反射器３は、カードＣ1 が存在しないとき、発光器１から照射された光線を反射器３で受け、この受けた光線を受光器２に向けて反射できるように構成されている。なお、この反射器３は、平面鏡とすることができる。この場合は、その平面鏡に所定の角度をもって光線が照射され、そして、その平面鏡で反射して来た光線を受光できる位置に受光器２が配置される。しかし、上述のように、反射器３を反射プリズムとしたときは、カードＣ1 （媒体）を通過する光線の間隔を大きくすることができる特長がある。
【００１３】
図２（ａ）は、改札機本体の投入口にエドモンソン券タイプの乗車券Ｃ2 が投入されたときの平面図、同図（ｂ）は、同図（ａ）のＡ−Ａ線断面図である。上記構成からなる媒体検知装置を組み込んだ自動改札機において、投入口から投入された媒体を検出する必要があるとき、図１（ａ），（ｂ）においては、発光器１から照射された光線（図１（ｂ）の太線参照）はカードＣ1 で遮蔽されるので、受光器２には光線が受光されず、したがって、改札機本体を統括的に制御するＣＰＵを中心に構成される制御器（図示せず）では、搬送路上に媒体が位置していると判定することができる。
【００１４】
ところで、発光器１から照射された光線が媒体にあけられているパンチ孔を通過したとき、例えば、図２（ｂ）に示されるように、発光器１から照射された光線が乗車券Ｃ2 にあけられているパンチ孔ロを通過して反射器３に達したときは、その反射器３から反射した光線は、乗車券Ｃ2 のパンチ孔ロのあいていない箇所で遮られるので、発光器１から照射された光線は受光器２に受光されない（図２（ｂ）の太線参照）。したがって、この場合においても、改札機本体の制御器は、搬送路上に媒体が位置していると判定することができる。このため、制御器は、カードＣ1 や乗車券Ｃ2 の位置を確実に検出することが可能となり、媒体検知装置の設置は、媒体にあけられるパンチ孔の位置を考慮することなく行うことができる。
【００１５】
図３は、自動券売機や自動精算機等の紙葉類Ｃ3 を取扱う駅務機器の図示しない搬送路の搬送方向から見た断面図を示している。この図３において鎖線で示される光線は、紙葉類Ｃを透過した光量を示している。この光量は、紙葉類Ｃ3 により一度遮られているので、発光器１から照射された光線（図３の太線参照）は弱められている。したがって、反射器３から受光器２に向けて照射される光線は、再び紙葉類を通過することができず、自動券売機等の駅務機器に組込まれている制御器（図示せず）は、紙葉類Ｃ3 を確実に検出することができる。
【図面の簡単な説明】
【００１６】
【図１】（ａ）は、改札機本体の投入口から投入されるカードの搬送途中の平面図、（ｂ）は、（ａ）のＡ−Ａ線断面図である。
【図２】（ａ）は、改札機本体の投入口から投入される乗車券の搬送途中の平面図、（ｂ）は、（ａ）のＡ−Ａ線断面図である。
【図３】自動券売機等の駅務機器に投入された紙葉類の搬送途中の断面図である。
【図４】（ａ）は媒体がカードの場合の正面図、（ｂ）は媒体が乗車券の場合の正面図、（ｃ）は媒体が紙葉類の場合の平面図である。
【図５】従来の媒体検知装置を説明する説明図である。
【図６】従来の媒体検知装置を説明する説明図である。
【符号の説明】
【００１７】
Ｈ      筐体
１      発光器
２      受光器
３      反射器
Ｃ1       カード（媒体）
Ｃ2       乗車券（媒体）
Ｃ3       紙葉類（媒体）
【図１】
2005196457.tif 000003
【図２】
2005196457.tif 000004
【図３】
2005196457.tif 000005
【図４】
2005196457.tif 000006
【図５】
2005196457.tif 000007
【図６】
2005196457.tif 000008